(57)【要約】【課題】薄くて広く、温度差の生じにくい超電導磁石用熱シールドを提供する。【解決手段】超電導コイル６を冷媒液８と共に収納する極低温容器９と、極低温容器９を収容し内部が真空に保持された真空容器１５と、の間に設けられ、極低温容器９を覆い、冷却源１６で冷却される超電導磁石用熱シールド１１において、離れて対向する板１２、１３と、対向する板１２、１３の間に入れられた冷媒ガス１４とを有し、冷媒ガス１４の上部を、冷却源１６で冷却することで、冷媒ガス１４が、板１２、１３に沿って降下した後に上昇するような自然対流を起こさせる。【選択図】図２
2008028146.tif 000002
【特許請求の範囲】
【請求項１】
超電導コイルを冷媒液と共に収納する極低温容器と、前記極低温容器を収容し内部が真空に保持された真空容器と、の間に設けられ、前記極低温容器を覆い、冷却源で冷却される超電導磁石用熱シールドにおいて、
離れて対向する板と、
対向する前記板の間に入れられた冷媒ガスとを有し、
前記冷媒ガスの上部を、前記冷却源で冷却することで、前記冷媒ガスが、前記板に沿って降下した後に上昇するような自然対流を起こさせることを特徴とする超電導磁石用熱シールド。
【請求項２】
前記冷媒ガスには、前記冷媒液が気化したガスを用いていることを特徴とする請求項１に記載の超電導磁石用熱シールド。
【請求項３】
前記板は、
複数の非磁性の導電板と、
複数の前記導電板の間に設けられ、電気抵抗率が前記導電板より高い連結帯とを有することを特徴とする請求項１または請求項２に記載の超電導磁石用熱シールド。
【請求項４】
前記板は、ステンレス部材であることを特徴とする請求項１乃至請求項３のいずれか１項に記載の超電導磁石用熱シールド。
【請求項５】
前記板から水平方向に伸ばした複数の梁をさらに有し、
前記板を立てるように配し、
前記板と前記梁とで前記極低温容器を覆うことを特徴とする請求項１乃至請求項３のいずれか１項に記載の超電導磁石用熱シールド。
【請求項６】
前記冷媒ガスを前記冷却源に導き、前記板の上部に接続する配管をさらに有することを特徴とする請求項１乃至請求項５のいずれか１項に記載の超電導磁石用熱シールド。
【請求項７】
請求項１乃至請求項６のいずれか１項に記載の超電導磁石用熱シールドを用いたことを特徴とする超電導磁石装置。
【請求項８】
請求項７に記載の超電導磁石装置を用いたことを特徴とする磁気共鳴イメージング装置。
【発明の詳細な説明】
【技術分野】
【０００１】
本発明は、超電導磁石装置および、それを用いた磁気共鳴イメージング(以下、ＭＲＩと称す)装置に係り、特に、超電導磁石装置で用いられる超電導磁石用熱シールドに関する。
【背景技術】
【０００２】
ＭＲＩ装置は、核磁気共鳴（Nuclear Magnetic Resonance、以下ＮＭＲと称す）現象により水素原子核スピンが放出する電磁波を計測し、その電磁波を信号として演算処理することで、被検体を水素原子核密度によって断層像化するものである。水素原子核スピンが放出する電磁波の計測には、計測領域として、高強度な均一磁場領域を生成する必要がある。
【０００３】
水素原子核スピンが放出する電磁波による電磁場の強度は、均一磁場領域の静磁場の強度に比例するため、断層像の分解能を向上させるには静磁場の強度を上げる必要があるからである。そこで、高強度の静磁場を発生させるために超電導磁石装置が用いられている。
【０００４】
超電導磁石装置では、超電導コイルが超電導状態となる温度が極低温であるので、液体ヘリウム（Ｈｅ）を用いて冷却するとともに、極低温に保つために室温から断熱している。このため、超電導コイルは液体ヘリウムと共に極低温容器に収納され、超電導コイルと極低温容器の温度を極低温に保ちつつ、極低温容器は真空容器内に設置され真空断熱されている。また、極低温容器への伝熱による熱と輻射による侵入熱を極力抑える必要があることから、極低温容器の表面を数十Ｋの中低温に保った熱シールドで、極低温容器に接触しないように覆っている。
【０００５】
この熱シールド自身も、中低温に保つために、真空容器との間は真空断熱され、極力伝熱による熱侵入を抑えた荷重支持体によって支持されている。熱シールドは、極低温容器を真空容器に支持する荷重支持体のサーマルアンカとして、室温からの熱を吸収することで遮断している。
【０００６】
熱シールドとしては、冷却媒体を流入出させることで、熱シールドの部材全体を冷却する方式が提案されている（例えば、特許文献１参照）。また、冷却媒体を部分的に収納し伝熱で部材全体を冷却する方式が提案されている（例えば、特許文献２参照）。通路抵抗を少なくし冷却効率を向上させた自然循環方式で冷却する方式が提案されている（例えば、特許文献３参照）。また、特許文献３では、電気抵抗の大きい部材を用いて渦電流の発生を防止することが提案されている。さらに、熱シールドとその冷却源の間を、銅の網組線などの熱伝導体で熱的にリンクさせる方式が提案されている（例えば、特許文献４参照）。
【特許文献１】特開平６−６１０４４号公報
【特許文献２】特開平６−６９５５３号公報
【特許文献３】特開２００４−８７７６１号公報
【特許文献４】特開２００５−３２２７５６号公報
【発明の開示】
【発明が解決しようとする課題】
【０００７】
ＭＲＩ装置では、被検体が入る空間を装置内部にできるだけ広く取れるような大口径化を目指しており、また、高磁場化のために超電導コイルは大型化する傾向がある。これに反してなるべく超電導磁石装置のコストを低減するためには、装置の寸法を小さくする必要がある。この結果、極低温容器を覆う熱シールドは、厚さを薄くした構造が要求されている。
【０００８】
また、超電導コイルの大型化により、熱シールドが広くなると、熱シールドが吸収した熱負荷を冷凍機で吸収し排熱しているので、冷凍機から離れた場所の熱シールドでは熱抵抗が大きくなり、熱シールド自体で温度差が生じ、これにより、極低温容器への侵入熱が増えてしまうという問題が考えられた。なお、熱抵抗を小さくするために、熱シールドを厚くすることは前記要求から許されない。また、熱抵抗を小さくするために、熱抵抗の小さい材料を用いると、一般に熱抵抗の小さい材料は電気抵抗が低いため、渦電流が発生し、渦電流に起因する振動が発生すると考えられた。このように、超電導コイルの大型化に対応するような、薄くて広い熱シールドは提案されていなかった。
【０００９】
また、熱シールドと冷凍機の冷却源との間を、銅の網組線などの熱伝導体で接続すると、熱シールドと冷却源との間に温度差が生じやすいと考えられた。
【００１０】
本発明は前記の問題点を解決しようとするもので、その目的は、薄くて広く、温度差の生じにくい超電導磁石用熱シールドを提供し、さらに、この超電導磁石用熱シールドを用いた超電導磁石装置およびＭＲＩ装置を提供することにある。
【課題を解決するための手段】
【００１１】
前記目的を達成するために、本発明の超電導磁石用熱シールド、超電導電磁石装置およびＭＲＩ装置は、超電導磁石用熱シールドにおいて、離れて対向する板と、対向する前記板の間に入れられた冷媒ガスとを有し、前記冷媒ガスの上部を、冷却源で冷却することで、前記冷媒ガスが、前記板に沿って降下した後に上昇するような自然対流を起こさせることを特徴とする。
【発明の効果】
【００１２】
このような超電導磁石用熱シールド、超電導磁石装置およびＭＲＩ装置によれば、薄くて広く、温度差の生じにくい超電導磁石用熱シールドを提供することができる。
【発明を実施するための最良の形態】
【００１３】
次に、本発明の実施形態について、適宜図面を参照しながら詳細に説明する。
【００１４】
（第１の実施形態）
図１に示すように、第１の実施形態に係るＭＲＩ（磁気共鳴イメージング）装置１は、冷凍機４が突出しているものの略円筒形の超電導磁石装置２と、超電導磁石装置２の筒の中の撮像空間に挿入された被検体をのせるベッド３と、超電導磁石装置２を用いて被検体からの核磁気共鳴信号を解析し断層像化する制御装置５とを有している。
【００１５】
図２に示すように、第１の実施形態に係る超電導磁石装置２は、永久電流を流し磁場を発生させ、中心軸が水平方向の円環状の超電導コイル６と、この超電導コイル６を冷媒液８と共に収納する極低温容器９と、この極低温容器９を包囲するように設けられた熱シールド１１と、この熱シールド１１を包囲し、内部を真空に保持している真空容器１５を有している。冷媒液８は超電導コイル６を直接冷却し、具体的には、液体ヘリウム（Ｈｅ）が用いられている。冷媒液８は、超電導コイル６によって温められると、冷凍機４の第２ステージ１７によって極低温に冷却される。極低温容器９は、円環状の超電導コイル６に沿い収納するように、円環状に形成され、容積をできるだけ小さくしている。同様に、熱シールド１１は、円環状の極低温容器９に沿って覆うように、円環状に形成され、表面積をできるだけ小さくしている。
【００１６】
超電導磁石装置２が、室温の室内に配置されても、真空容器１５内が真空になっているので、室内の熱が伝導や自然対流で、極低温容器９に伝わることはない。また、熱シールド１１は、冷凍機４の第１ステージ１６によって冷却されることで、真空容器１５からの輻射熱を吸収し冷凍機４の第１ステージ１６に放出するので、輻射熱で極低温容器９が昇温されることはない。なお、熱シールド１１は冷媒液８の温度の極低温と室温との間の中低温に設定すればよい。超電導コイル６と極低温容器９は冷媒液８の極低温に安定して設定できる。
【００１７】
超電導コイル６は、電磁石支持構造体７によって極低温容器９に支持され、熱シールド１１も極低温容器９に支持されている。総荷重の大きくなる極低温容器９は、荷重支持体２２によって、基盤となる真空容器１５に支持されている。荷重支持体２２は、熱侵入を少なくする工夫がされている。冷凍機４は、極低温に冷却する第２ステージと、中低温に冷却する第１ステージとを有する、具体的には二段ＧＭ冷凍機のような冷凍機である。冷凍機４は、メンテナンス時に脱着可能なように超電導磁石装置に設置されている。熱シールド１１は第１ステージ１６により冷却され、凝縮機が取り付けられた第２ステージ１７では極低温容器９内で蒸発したヘリウムガスを冷却して再液化している。
【００１８】
真空容器１５の内周面にはそれぞれ、ＲＦコイル１９と、傾斜磁場コイル１８とが設けられている。ＭＲＩ装置１は、ＮＭＲ現象により水素原子核スピンが放出する核磁気共鳴信号を計測し、その核磁気共鳴信号を演算処理することで、被検体内を水素原子核密度によって断層像化する。その際に、被検体が入る撮像空間には、強度が０．２Ｔ以上の高強度であり、高い静磁場均一度を有する静磁場を生成させる。撮像空間の上下１対の傾斜磁場コイル１８は、撮像空間内の位置情報を得る目的で、磁場を空間的に変化させた傾斜磁場を撮像空間に印加する。さらに、撮像空間の上下１対のＲＦコイル１９は、ＮＭＲ現象を引起すための共鳴周波数の電磁波を撮像空間に印加する。これらにより、撮像空間内の微小領域ごとに水素原子核スピンが放出する核磁気共鳴信号を計測し、その核磁気共鳴信号を演算処理することで、被検体体内を水素原子核密度によって断層像化することができる。
【００１９】
超電導コイル６と被検体２１の間には、ＲＦコイル１９、傾斜磁場コイル１８、真空容器１５、熱シールド１１、極低温容器９、電磁石支持構造体７が狭隘な空間に配置されている。被検体２１の撮像空間を広げるためには極力熱シールド１１を薄くすることが必要なことがわかる。熱シールド１１は、冷凍機４を上部に配置することで熱シールド１１上部の温度が低くなるようにして、上部の冷媒ガス１４を冷却することで二重壁内を冷えて密度が大きくなった冷媒ガス１４が下方に沈む。その一方で、真空容器１５からの輻射熱と、荷重支持体２２からの熱負荷とによって、熱シールド１１の下部の温度が高くなって、密度が小さくなった下部の冷媒ガス１４が浮力により上方に上昇する。これにより、二重壁内全体に冷媒ガス１４の自然対流を生じさせ、この自然対流により効率的に板１２、１３の熱を冷媒ガス１４で交換している。
【００２０】
熱シールド１１を、離れて対向する板１２、１３と、これらの板１２、１３の間に入れられた冷媒ガス１４からなる二重壁構造として、冷媒ガス１４の上部を、冷却源となる第１ステージ１６で冷却することで、冷媒ガス１４が、板１２、１３に沿って降下した後に上昇するような自然対流を起こしている。この自然対流を生じさせることで、熱シールド１１内に生じる温度差を低減している。そして、熱シールド１１を二重壁構造にすることで、熱シールド１１の総厚を薄くしている。
【００２１】
図３に示すように、熱シールド１１の二重壁構造を、原理的に抽象化することができる。熱シールド１１では、冷却源の第１ステージ１６により上部の冷媒ガス１４が冷却されて降下し、荷重支持体２２により下部の冷媒ガス１４が温められ上昇する。これらのことにより、二重壁内部で冷媒ガス１４の自然対流２３が生じる。この自然対流によって熱シールド１１の温度が広範囲に低下し、熱シールド１１の温度均一性が向上する。
【００２２】
冷媒ガス１４は、板１２、１３からなる二重壁構造内に密封すればよい。熱シールド１１には、真空容器１５からの輻射熱と、荷重支持体２２からの伝熱により熱が入熱される。この熱をとるために冷凍機４の第１ステージ１６が設置されるが、この第１ステージ１６から距離が離れるとこの輻射等から生じる熱により熱シールド１１内に温度分布が生じる。このため、内部に封入された冷媒ガス１４にも同様の温度分布が生じる。この温度分布により冷媒ガス１４の比重に差が生じる。温度の高い冷媒ガス１４には浮力が生じ、温度の低い冷媒ガス１４は沈もうとする。これらの動きにより二重壁構造内には冷媒ガス１４の自然対流２３が生じ、この自然対流２３により冷媒ガスが高温側の板面の熱を奪い、低温側の板面に伝えることで二重壁の板１２、１３と冷媒ガス１４の温度差が生じがたくなっている。主な熱伝達が自然対流であるので、板１２、１３による熱の伝導は補助的でよく、例えば、熱伝導率は高くないが薄くても強度のある構造物が形成できるステンレス部材等を、熱シールド１１に用いることができる。
【００２３】
そして、熱シールド１１での熱伝達は、冷媒ガス１４により行われるため、熱シールド１１の板１２、１３は冷媒ガス１４の圧力に耐える構造にするだけでよく、冷媒ガス１４の占める幅と板１２、１３の厚さを加えても、板１２、１３と同じ材質で同じだけ熱を輸送できる従来の一重壁構造の熱シールド板の場合の板厚より薄くできる。このように、自然対流２３による熱の輸送量は大きいので、熱シールド１１の厚みを厚くすることなく、広範囲に渡る熱シールド１１内の温度の均一にすることができる。この熱シールドを用いることにより、長期間冷媒液８の供給を不要とする超電導磁石装置を提供できる。
【００２４】
自然対流２３による垂直に立てられた平らな板１２、１３の伝達熱量は次式で表される。
Ｑ＝ｈ×Ａ×ΔＴ
ここで、Ｑは時間当たりの熱量（Ｗ）で、ｈは自然対流による熱伝達率（Ｗ／ｍ２Ｋ）で、Ａは板１２、１３の面積（ｍ２）で、ΔＴは温度差（Ｋ）である。
【００２５】
このうち自然対流による熱伝達率ｈは熱シールド１１の代表長さＬいわゆる伝熱距離の１／４乗に反比例する。熱伝導による熱伝達率は伝熱距離に反比例することから、代表長さＬが長い熱シールド１１では、熱伝導より自然対流の方が熱を伝達しやすく、自然対流による熱シールド１１に温度分布が生じにくくなることがわかる。仮に熱伝達率を熱伝導で高くするとした場合、断面積を増やす必要があり、代表長さＬが長い熱シールドでは板厚が厚くなることになる。逆に、自然対流による熱シールド１１は大型化広面積化するほど、厚みを増やすことなく、熱を伝達する能力を、熱伝導による場合に比べて相対的に大きくすることができる。
【００２６】
図４（ａ）と（ｂ）に示すように、図３のような対向する板１２、１３は、熱シールド１１の各所に存在する。板１２、１３は中空で肉厚の円筒形を構成しているが、円筒形のそれぞれの内周面に対応する板１２と板１３は互いに対向し、冷媒ガス１４にはその内周面間を循環するような自然対流２３が起きる。また、円筒形のそれぞれの外周面に対応する板１２と板１３は互いに対向し、冷媒ガス１４にはその外周面間を循環するような自然対流２３が起きる。円筒形のそれぞれの端面に対応する板１２と板１３は互いに対向し、冷媒ガス１４にはその端面間を循環するような自然対流２３が起きる。
【００２７】
また、渦電流防止の課題に対しては、主な熱伝達が自然対流となるため、板１２、１３の断面積を小さくすることにより、熱伝達を損なうことなく、電気抵抗を高くすることで解決することができる。
【００２８】
熱シールド１１での熱伝達は、冷媒ガス１４により行われるため、熱シールド１１の板１２、１３は冷媒ガス１４の圧力に耐える構造にするだけでよく、一重壁構造で板１２、１３と同じ材質で同じだけ熱を輸送できる従来の一重壁構造の熱シールド板の場合の板厚より薄くでき、電気抵抗が高められるので、渦電流の発生を防止できる。
【００２９】
（第２の実施形態）
図５に示すように、第２の実施形態に係るＭＲＩ装置は、熱シールド１１の板１２、１３とで挟まれた空間が、連結管２５によって、極低温容器９内につなげられている点が、第１の実施形態のＭＲＩ装置とは異なっている。連結管２５は、極低温容器９の上部に設けられている。極低温容器９の上部には、冷媒液８である液体ヘリウムが超電導コイル６を冷却した際に気化した冷媒ガス２４のヘリウムガスが溜まっている。そこで、冷媒ガス２４を、連結管２５を通して、熱シールド１１の冷媒ガス１４として、熱シールド１１に供給している。このように、熱シールド１１の冷媒ガス１４に、冷媒液８が極低温容器９で気化した冷媒ガス２４を用いているので、別個に独立して熱シールド１１に冷媒ガス１４を供給する必要がなくなり構造を簡素化できる。
【００３０】
（第３の実施形態）
図６に示すように、熱シールド１１の二重壁構造を図３に対応させて原理的に抽象化すると、第３の実施形態の熱シールド１１は、板１２、１３がそれぞれ複数に分割され、熱シールド１１が複数の分割シールド２７で構成している点が、第１の実施形態の熱シールド１１と異なっている。板１２、１３はそれぞれ、分割された複数の非磁性の導電板と、複数の前記導電板の間に設けられ、電気抵抗率が前記導電板より高い連結帯２６とを有している。
【００３１】
熱伝達は、冷媒ガス１４により行われ、分割された板１２、１３それぞれの温度が均一に保たれる。分割された板１２の間には、輻射熱の入熱を防ぐため連結帯２６が取り付けられている。連結帯２６には、熱シールド１１を薄くするために、電気抵抗率が板１２、１３より高い、例えば、アルミニウム（Ａｌ）テープや、電気抵抗率を確実に高くするために輻射率の高いアルミを蒸着したプラスチックス等のシート等を用いることができる。このような分割により、それぞれの渦電流の渦の大きさを小さくできトータルの渦電流を低減することができる。
【００３２】
図７と図８に示すように、第３の実施形態のＭＲＩ装置では、熱シールド１１が、内周部と外周部にそれぞれ複数個配置される円筒型シールド２８と、それぞれの端部に配置されるドーナツ型シールド２９とに分割されている点が、第１の実施形態のＭＲＩ装置と異なっている。円筒型シールド２８と、ドーナツ型シールド２９とは、それぞれ、図６の分割シールド２７として機能し、離れて対向する板１２、１３と、この板１２、１３の間に入れられた冷媒ガス１４とを有している。円筒型シールド２８とドーナツ型シールド２９は、連結帯２６で連結されている。複数の円筒型シールド２８、一対のドーナツ型シールド２９と複数の連結帯２６とにより、極低温容器９を覆っている。これらの分割により円筒の軸方向に流れる渦電流を遮断できるので、渦電流の渦の大きさを小さくできトータルの渦電流を低減することができる。
【００３３】
（第４の実施形態）
図９と図１０に示すように、第４の実施形態に係るＭＲＩ装置は、円筒型シールド２８の替わりに、ドーナツ型シールド２９の間に、水平方向に伸びた複数の梁３２が設けられている点が、第３の実施形態のＭＲＩ装置と異なっている。円筒型シールド２８では、板１２、１３にぶつかって自然対流は垂直方向に流れることができない。このため、垂直方向に流れるドーナツ型シールド２９の方が熱を効率的に上方に運ぶことができる。そこで、外周部と内周部では、熱を最短距離になる水平方向にドーナツ型シールド２９まで伝導させ、ドーナツ型シールド２９に集めた熱を上方に集め、ガス配管３１を経由して、冷凍機４の第１ステージ１６から排熱している。複数の梁３２はすきまが生じないように敷き詰められ、ドーナツ型シールド２９と梁３２とで極低温容器９を覆っている。ただ、梁３２を跨ぐように渦電流は発生しないように、隣り合う梁３２は互いに絶縁されている。なお、梁３２は、アルミニウム製の、板材でもよいし、引き抜き材で製作した中空管でもよい。
【００３４】
第１ステージ１６で冷却された冷媒ガス１４は、ガス配管３１を通って、端部にあるドーナツ型シールド２９の上部に入る。上部に冷却された冷媒ガス１４が入ることで、ドーナツ型シールド２９に自然対流は生じる。自然対流により、ドーナツ型シールド２９全体の温度を低下させ均一にすることができる。複数の梁３２は、ドーナツ型シールド２９によって、両端が冷却されることで、伝熱により中央も両端と同程度の温度に均一に冷却される。以上により、熱シールド１１は、広範囲に全体が冷却され、均一な温度になる。
【００３５】
（第５の実施形態）
図１１に示すように、第５の実施形態に係るＭＲＩ装置では、冷凍機４の第１ステージ１６が、板１２、１３を冷却することによって、冷媒ガス１４を冷却するのではなく、板１２、１３を介することなく冷媒ガス１４を冷却している点が、第１の実施形態のＭＲＩ装置と異なっている。温まった冷媒ガス１４は、密度が小さくなって、板１２、１３の上部からフレキシブル配管３６を通って上昇し、冷媒ガスタンク３５に導入される。冷却源である第１ステージ１６は、直接熱シールド冷却部３３を冷却し、熱シールド冷却部３３に接続する熱交換フィン３４が冷却される。冷却された熱交換フィン３４により冷媒ガス１４が冷却される。冷媒ガス１４をより直接的に冷却しているので効率的である。また、フレキシブル配管３６毎に一方向の流れが生じて、大きな自然対流を生じるように、大口径のフレキシブル配管３６を２本以上の設けることが好ましい。なお、真空容器１５に対する熱シールド１１の熱伸びはフレキシブル配管３６により吸収するため、冷媒ガスタンク３５や熱シールド冷却部３３は、緩衝材３８を介して熱シールド１１上に固定せずに設置する。第２ステージ１７は貫通孔３７を通るように配置されるが、貫通孔３７は熱伸びを考慮して大きくする。以上により、冷凍機４で冷却された冷媒ガス１４は効率よく熱シールド１１に供給される。
【図面の簡単な説明】
【００３６】
【図１】本発明の一実施形態に係る磁気共鳴イメージング装置の斜視図である。
【図２】図１のＡ−Ａ方向の断面図である。
【図３】（ａ）は、本発明の一実施形態に係る超電導磁石用熱シールドの原理を模式的に描いた斜視図であり、（ｂ）は、（ａ）のＢ−Ｂ方向の断面図である。
【図４】（ａ）は、本発明の一実施形態に係る超電導磁石用熱シールドの斜視図であり、（ｂ）は、（ａ）のＣ−Ｃ方向の断面図である。
【図５】本発明の一実施形態に係る磁気共鳴イメージング装置の断面図である。
【図６】本発明の一実施形態に係る超電導磁石用熱シールドの原理を模式的に描いた斜視図である。
【図７】本発明の一実施形態に係る磁気共鳴イメージング装置の断面図である。
【図８】本発明の一実施形態に係る超電導磁石用熱シールドの斜視図である。
【図９】本発明の一実施形態に係る磁気共鳴イメージング装置の断面図である。
【図１０】本発明の一実施形態に係る超電導磁石用熱シールドの斜視図である。
【図１１】本発明の一実施形態に係る超電導磁石装置の冷却源の周辺の断面図である。
【符号の説明】
【００３７】
１      磁気共鳴イメージング装置
２      超電導磁石装置
４      冷凍機
６      超電導コイル
８      冷媒液
９      極低温容器
１１    熱シールド
１２    外板
１３    内板
１４    冷媒ガス
１５    真空容器
１６    第１ステージ（冷却源）
２２    荷重支持体
２３    冷媒ガスの自然対流
２４    冷媒ガス
２５    連結管
２６    連結帯
２７    分割シールド
２８    円筒型シールド
２９    ドーナツ型シールド
３１    ガス配管
３２    分割シールド板
３３    熱シールド冷却部
３４    熱交換用フィン
３５    冷媒ガスタンク
３６    フレキシブル配管
３７    貫通孔
【図１】
2008028146.tif 000003
【図２】
2008028146.tif 000004
【図３】
2008028146.tif 000005
【図４】
2008028146.tif 000006
【図５】
2008028146.tif 000007
【図６】
2008028146.tif 000008
【図７】
2008028146.tif 000009
【図８】
2008028146.tif 000010
【図９】
2008028146.tif 000011
【図１０】
2008028146.tif 000012
【図１１】
2008028146.tif 000013